(57)【要約】【課題】  ＤＣファンモータ内蔵の駆動電気回路は、インバータ素子温度が危険温度になってもユニット側からはそれを検出することができずに、回転数指令を出力し続けモータ側はやむをえず回転を緊急停止させインバータ素子温度が下がるまで待機しつずけ、すみやかに検出することができないなどの問題があった。【解決手段】  この発明は、ユニット内に駆動回路内蔵ＤＣファンモータと、この駆動回路内蔵ＤＣファンモータにより駆動されるファンと、このファンの回転により放熱する対象物と、前記駆動回路内蔵ＤＣファンモータに回転数指令と回転数信号とを入出力する制御部と、外気温度情報を検出して前記制御部に送る外気温度検出手段とを備え、前記制御部に高外気温度で高い回転数、低外気温度で低い回転数を前記駆動回路内蔵ＤＣファンモータが停止したことを検出するしきい値として保持し、室外ユニットの駆動回路内蔵ＤＣファンモータの停止を検出する構成。【選択図】        図１
2006214638.tif 000002
【特許請求の範囲】
【請求項１】
空気調和装置の室外ユニット内に駆動回路内蔵ＤＣファンモータと、この駆動回路内蔵ＤＣファンモータにより回転駆動されるファンと、このファンの回転により放熱作用を促進される対象物と、前記駆動回路内蔵ＤＣファンモータに回転数指令と回転数信号とを入出力するユニット制御部と、外気温度情報を検出して前記ユニット制御部に送る外気温度検出手段とを備え、前記ユニット制御部は高外気温度で高い回転数、低外気温度で低い回転数を前記駆動回路内蔵ＤＣファンモータが停止したことを検出するしきい値として保持し、前記室外ユニットの駆動回路内蔵ＤＣファンモータの停止を検出することを特徴とする空気調和装置のＤＣファンモータの制御装置。
【請求項２】
高外気温度時の高回転数の連続検知時間を短く、低外気温度時の低回転数の連続検知時間を長く設定したことを特徴とする請求項１記載の空気調和装置のＤＣファンモータの制御装置。
【発明の詳細な説明】
【技術分野】
【０００１】
この発明は、空気調和装置の室外ユニットで使用される放熱用のファンモータで、特に駆動回路内蔵ＤＣファンモータ制御装置に関する。
【背景技術】
【０００２】
従来の技術は、ファンを使用した電子機器等の冷却システムにおいて、演算部が温度センサで測定した被冷却物の周囲温度から必要なファン回転数を算出し、回転数制御が算出された所要回転数になるようファンを制御する。そして、回転数検出部から得たファンの実回転数を故障検出部で比較し、所要回転数に満たない場合故障表示部で故障したファンの表示を行う。（例えば、特許文献１参照）
【０００３】
また、室外ユニットの送風ファンの回転異常を検出する装置に関するもので、ＤＣファンモータを従来それらを駆動する電気回路も、それを利用するユニット側で設計し、実回転数の設定回転数とのずれ等で故障等をすみやかに検出し、故障の波及を予防していた。（例えば、特許文献２参照）
【特許文献１】実開平５−３０４９７号公報（第２頁、図１）
【特許文献２】特開２００１−２４１７３４（第２〜３頁、図５）
【発明の開示】
【発明が解決しようとする課題】
【０００４】
近年モータの付加価値を向上させるため、駆動回路を内蔵したＤＣファンモータが、コスト的に有利という面もあり使用されることが多くなっているが、駆動回路内蔵ＤＣファンモータはその入力として回転数を指令する電圧を取り込み、ファンの回転とその回転数信号を出力する。モータを使用するユニット側からすると、１入力１出力となっており、制御方法としては設定回転数に達するまで回転数指令電圧を調整する簡略なものであった。
【０００５】
また、その反面、ユニット側からモータ動作は回転数しかわからないため、電気回路の状態によらず回転数のみを追求することになり、たとえばＤＣファンモータ内蔵の駆動電気回路のインバータ素子温度が危険温度になってもユニット側からはそれを検出することができずに、回転数指令を出力し続け、モータ側はこのような状態になった場合、やむをえず回転を緊急停止させインバータ素子温度が下がるまで待機することになり、ユニット側はそれをすみやかに検出することができないなどの問題があった。
【０００６】
ちなみに、ユニット側でモータ側の緊急停止を検出しない場合、ユニットは回転数が設定回転数に達しないため回転数指令をひたすら増加させ、モータが緊急停止を解除した時には設定回転数以上の出力をしており、再度緊急停止状態を誘発する結果となり、しかも、室外で使用するユニットでこうした駆動回路内蔵ＤＣファンモータを使用する場合、モータが回転出力をやめていても外風の影響によりファンは回転を続け、完全に停止しないことが多く、さらに外風により通常の出力時にも回転数の低下が起き正確な検出ができない等の問題があった。
【０００７】
この発明は、上記のような課題を解決するためになされたもので、駆動回路内蔵DCファンモータが停止したことをすみやかに検出するとともに、室外で使用するユニットでの外風による誤検出を少なくすることを目的とする。
【課題を解決するための手段】
【０００８】
この発明の空気調和装置のＤＣファンモータの制御装置は、空気調和装置の室外ユニット内に駆動回路内蔵ＤＣファンモータと、この駆動回路内蔵ＤＣファンモータにより回転駆動されるファンと、このファンの回転により放熱作用を促進される対象物と、前記駆動回路内蔵ＤＣファンモータに回転数指令と回転数信号とを入出力するユニット制御部と、外気温度情報を検出して前記ユニット制御部に送る外気温度検出手段とを備え、前記ユニット制御部は高外気温度で高い回転数、低外気温度で低い回転数を前記駆動回路内蔵ＤＣファンモータが停止したことを検出するしきい値として保持し、前記室外ユニットの駆動回路内蔵ＤＣファンモータの停止を検出するものである。
【発明の効果】
【０００９】
この発明の空気調和装置のＤＣファンモータの制御装置は、空気調和装置の室外ユニット内に駆動回路内蔵ＤＣファンモータと、この駆動回路内蔵ＤＣファンモータにより回転駆動されるファンと、このファンの回転により放熱作用を促進される対象物と、前記駆動回路内蔵ＤＣファンモータに回転数指令と回転数信号とを入出力するユニット制御部と、外気温度情報を検出して前記ユニット制御部に送る外気温度検出手段とを備え、前記ユニット制御部は高外気温度で高い回転数、低外気温度で低い回転数を前記駆動回路内蔵ＤＣファンモータが停止したことを検出するしきい値として保持し、前記室外ユニットの駆動回路内蔵ＤＣファンモータの停止を検出する構成としたから、高外気温度のときは、停止したことを検知するための回転数信号しきい値を高くすることで外風の影響があっても駆動回路内蔵ＤＣファンモータの緊急停止をすみやかに検出することができるとともに、低外気温度のときは、停止したことを検知するための回転数信号しきい値を低くする代わりに連続検出時間を長くすることで、誤検出を防ぐことができる効果を有する。
【発明を実施するための最良の形態】
【００１０】
実施の形態１．
以下、図１に示すこの発明の実施の形態１による空気調和装置の室外ユニットのＤＣファンモータの制御装置を説明する。図１において、空気調和機の室外ユニット１の駆動回路内蔵ＤＣファンモータ２と、ファン３、ファンが放熱させる対象物（例えば、熱交換器・発熱モジュール等）であるユニット放熱物４、前記駆動回路内蔵ＤＣファンモータ２に回転数指令と回転数信号を入出力するユニット制御部５と、外気温度情報を検出して前記制御部に入力するセンサから成る外気温度検出手段６とからなり、前記ユニット制御部５は、前記駆動回路内蔵ＤＣファンモータ２からの回転数信号と、前記センサから成る外気温度検出手段６からの検出データとを入力部５ａを経由してＣＰＵに送り、予め記憶部５ｃに保持されていたデータとを演算し、出力部５ｄを経由して前記駆動回路内蔵ＤＣファンモータ２に回転数指令信号を送るものである。
【００１１】
したがって、前記ユニット制御部５は、図２に示すような外気温度検出手段６により検出される外気温度毎に、ユニット放熱物４が放熱するに足りる回転数でファン３が回るように設定回転数を持ち、駆動回路内蔵ＤＣファンモータ２に回転数指令を出力し、駆動回路内蔵ＤＣファンモータ２は前記ユニット制御部５から出力される回転数指令に対しファン３を回転させその回転数を回転数信号として前記ユニット制御部５へ逆に出力する。該ユニット制御部５は表１に示す設定回転数と駆動回路内蔵ＤＣファンモータ２からの回転数信号とを比較し回転数を調整する。
【００１２】
【表１】
2006214638.tif 000003
【００１３】
また、前記ユニット制御部５は、図３、４に示すような外気温度センサ６により検出される外気温度毎に、駆動回路内蔵ＤＣファンモータ２が緊急停止したことを判定する回転数しきい値と、回転数しきい値以下を連続時間経過したときに、停止したことを判定する時間しきい値とを持つ。
外気温度がユニットが使用される比較的高外気温度Ｔｔｙｐｉ以上のとき、高回転数しきい値Ｎｈｉｇｈをτｓｈｏｅｔ時間以上連続検出すれば、ユニット制御部５は駆動回路内蔵ＤＣファンモータ２が緊急停止したことを検出する。
【００１４】
外気温度検出手段６で検出した検出温度が室外ユニット１が使用される比較的低外気温度Ｔｔｙｐｉ以下のとき、低回転数しきい値Ｎｌｏｗをτｌｏｎｇ時間以上連続検出すれば、ユニット制御部５は駆動回路内蔵DCファンモータ２が緊急停止したことを検出する。
【００１５】
たとえば、図２に示す外気温度に対する設定回転数が表１に示す値で外気温度に対し設定されていたおり、外気温度と回転数しきい値・時間しきい値がおのおの図３、図４に示すように表２のように決まっていた場合。
【００１６】
【表２】
2006214638.tif 000004
【００１７】
外気温度が３０℃の時には、比較的高外気温度のため設定回転数は５００ｒｐｍと高めになっている。このとき回転数しきい値は１００ｒｐｍとなり、この回転数以下を15秒連続検出すればユニット制御部５は駆動回路内蔵ＤＣファンモータ２の緊急停止を検出する。
【００１８】
また、外気温度が１０℃の時には、比較的低外気のため設定回転数は２００ｒｐｍと低めになっている。このとき回転数しきい値は５０ｒｐｍとなり、この回転数以下を1分連続検出すればユニット制御部５は駆動回路内蔵ＤＣファンモータ２の緊急停止を検出する。
【図面の簡単な説明】
【００１９】
【図１】この発明の実施の形態１における空気調和装置のＤＣファンモータの制御装置を示すブロック図である。
【図２】この発明の実施の形態１におけるＤＣファンモータの制御装置の外気温度と設定回転数との関係を示す特性図である。
【図３】この発明の実施の形態１におけるＤＣファンモータの制御装置の外気温度と回転数しきい値の関係を示す特性図である。
【図４】この発明の実施の形態１における空気調和装置のＤＣファンモータの制御装置室外ユニットの外気温度−室時間しきい値の関係を示す特性図である。
【符号の説明】
【００２０】
１  空気調和装置の室外ユニット、２  駆動回路内蔵ＤＣファンモータ、３  ファン、４  放熱物、５  ユニット制御装置、５ａ  入力部、５ｂ  ＣＰＵ、５ｃ  記憶部、５ｄ  出力部、６  外気温度検出手段。
【図１】
2006214638.tif 000005
【図２】
2006214638.tif 000006
【図３】
2006214638.tif 000007
【図４】
2006214638.tif 000008